(57)【要約】【課題】電子部品などが不正に交換されたり取り外されたりした場合に、その事実を確実に認識することができる取外認識装置を提供する。【解決手段】取外認識装置１０は、電子部品に取り付けられる抵抗値センサ１１と、抵抗値センサ１１から出力された抵抗値によって、電子部品がこの取外認識装置１０から取り外されたか否かを判断するＣＰＵ１２と、ＣＰＵ１２の判断結果を記憶するメモリ部１３と、ＣＰＵ１２の判断結果をリーダライタに発信する通信部１４とを備える。この取外認識装置１０は、自らの電源部１６から電力供給を受けて動作するアクティブ型の装置であり、メモリ部１３は、ＣＰＵ１２の判断結果とともに、判断時の時刻情報や抵抗値を記憶する。【選択図】図２
2009075931.tif 000002
【特許請求の範囲】
【請求項１】
取り付け対象物に取り付けられる抵抗値センサと、
前記抵抗値センサから出力された抵抗値によって、前記取り付け対象物がこの取外認識装置から取り外されたか否かを判断する制御部と、
を備える取外認識装置。
【請求項２】
請求項１に記載の取外認識装置において、
前記取り付け対象物に取り付けるための取り付け手段を備えること、
を特徴とする取外認識装置。
【請求項３】
請求項１に記載の取外認識装置において、
この取外認識装置は、前記取り付け対象物に予め取り付けられていること、
を特徴とする取外認識装置。
【請求項４】
請求項１から請求項３までのいずれか１項に記載の取外認識装置において、
この取外認識装置は、前記取り付け対象物又は外部装置から電力供給を受けて動作すること、
を特徴とする取外認識装置。
【請求項５】
請求項１から請求項３までのいずれか１項に記載の取外認識装置において、
この取外認識装置は、自らの電源部から電力供給を受けて動作すること、
を特徴とする取外認識装置。
【請求項６】
請求項１から請求項５までのいずれか１項に記載の取外認識装置において、
前記制御部の判断結果を記憶する記憶部を備えること、
を特徴とする取外認識装置。
【請求項７】
請求項１から請求項６までのいずれか１項に記載の取外認識装置において、
前記制御部の判断結果を外部装置に発信する通信部を備えること、
を特徴とする取外認識装置。
【請求項８】
請求項７に記載の取外認識装置において、
前記制御部は、前記通信部の発信間隔を調整すること、
を特徴とする取外認識装置。
【請求項９】
請求項６から請求項８までのいずれか１項に記載の取外認識装置において、
前記記憶部は、前記制御部の判断結果とともに、判断時の時刻情報及び／又は抵抗値を記憶すること、
を特徴とする取外認識装置。
【請求項１０】
請求項１から請求項９までのいずれか１項に記載の取外認識装置において、
前記制御部は、前記抵抗値センサから出力された抵抗値が、上限値及び下限値を有する有効範囲の範囲内にあるか否かを判断することにより、前記取り付け対象物がこの取外認識装置から取り外されたか否かを判断すること、
を特徴とする取外認識装置。
【請求項１１】
請求項１から請求項１０までのいずれか１項に記載の取外認識装置において、
前記制御部は、前記取り付け対象物がこの取外認識装置から取り外されたか否かの判断内容に基づいて、外部装置に視覚的な動作、聴覚的な動作、感覚的な動作のうち少なくとも１つの動作を行わせること、
を特徴とする取外認識装置。
【発明の詳細な説明】
【技術分野】
【０００１】
本発明は、電子部品などの偽造防止や脱着認識を行うための取外認識装置に関するものである。
【背景技術】
【０００２】
電子部品の不正な取り外しや、偽装ＲＯＭなどの防止には、封印シールなどをはり、取り外された痕跡を残すことが行われてきた（例えば、特許文献１）。
しかし、封印シールなども偽装されると、交換されたり、取り外されたりしたこと自体もわからない状態となる可能性があった。
【特許文献１】特開２００１−２２８８００号公報
【発明の開示】
【発明が解決しようとする課題】
【０００３】
本発明の課題は、電子部品などが不正に交換されたり取り外されたりした場合に、その事実を確実に認識することができる取外認識装置を提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、取り付け対象物（３０）に取り付けられる抵抗値センサ（１１）と、前記抵抗値センサ（１１）から出力された抵抗値によって、前記取り付け対象物（３０）がこの取外認識装置（１０）から取り外されたか否かを判断する制御部（１２）と、を備える取外認識装置（１０）である。
請求項２の発明は、請求項１に記載の取外認識装置（１０，１０−３）において、前記取り付け対象物（３０）に取り付けるための取り付け手段（１７）を備えること、を特徴とする取外認識装置（１０，１０−３）である。
請求項３の発明は、請求項１に記載の取外認識装置（１０−２，１０−４）において、この取外認識装置（１０−２，１０−４）は、前記取り付け対象物（３０）に予め取り付けられていること、を特徴とする取外認識装置（１０−２，１０−４）である。
請求項４の発明は、請求項１から請求項３までのいずれか１項に記載の取外認識装置（１０−３，１０−４）において、この取外認識装置（１０−３，１０−４）は、前記取り付け対象物又は外部装置から電力供給を受けて動作すること、を特徴とする取外認識装置（１０−３，１０−４）である。
請求項５の発明は、請求項１から請求項３までのいずれか１項に記載の取外認識装置（１０，１０−２）において、この取外認識装置（１０，１０−２）は、自らの電源部（１６）から電力供給を受けて動作すること、を特徴とする取外認識装置（１０，１０−２）である。
請求項６の発明は、請求項１から請求項５までのいずれか１項に記載の取外認識装置（１０）において、前記制御部（１２）の判断結果を記憶する記憶部（１３）を備えること、を特徴とする取外認識装置（１０）である。
請求項７の発明は、請求項１から請求項６までのいずれか１項に記載の取外認識装置（１０）において、前記制御部（１２）の判断結果を外部装置に発信する通信部（１４）を備えること、を特徴とする取外認識装置（１０）である。
請求項８の発明は、請求項７に記載の取外認識装置（１０）において、前記制御部（１２）は、前記通信部（１４）の発信間隔を調整すること、を特徴とする取外認識装置（１０）である。
請求項９の発明は、請求項６から請求項８までのいずれか１項に記載の取外認識装置（１０）において、前記記憶部（１３）は、前記制御部（１２）の判断結果とともに、判断時の時刻情報及び／又は抵抗値を記憶すること、を特徴とする取外認識装置（１０）である。
請求項１０の発明は、請求項１から請求項９までのいずれか１項に記載の取外認識装置（１０）において、前記制御部（１２）は、前記抵抗値センサ（１１）から出力された抵抗値が、上限値及び下限値を有する有効範囲の範囲内にあるか否かを判断することにより、前記取り付け対象物（３０）がこの取外認識装置（１０）から取り外されたか否かを判断すること、を特徴とする取外認識装置（１０）である。
請求項１１の発明は、請求項１から請求項１０までのいずれか１項に記載の取外認識装置（１０）において、前記制御部（１２，１５）は、前記取り付け対象物（３０）がこの取外認識装置（１０）から取り外されたか否かの判断内容に基づいて、外部装置に視覚的な動作、聴覚的な動作、感覚的な動作のうち少なくとも１つの動作を行わせること、を特徴とする取外認識装置（１０）である。
【発明の効果】
【０００５】
本発明によれば、以下のような効果がある。
（１）抵抗値センサから出力された抵抗値によって、取り付け対象物がこの取外認識装置から取り外されたか否かを判断するので、取り付け対象物を取り外したり交換したりした場合には、その事実を確実に認識することができる。
（２）取り付け手段を備えるので、取り付け対象物に簡単に後付けすることができる。
（３）取外認識装置を取り付け対象物に予め取り付けておくことで、取り付けの手間を省くことができる。
【０００６】
（４）取外認識装置は、取り付け対象物又は外部装置から電力供給を受けて動作するので、自ら電源部を備える必要がない。
（５）取外認識装置は、自らの電源部から電力供給を受けて動作するので、自発的に動作することができる。また、取り付け対象物から電力を引きまわす手間を省くことができる。
（６）制御部の判断結果を記憶する記憶部を備えるので、判断結果を記憶しておき、事後的に確認することができる。
【０００７】
（７）制御部の判断結果を外部装置に発信する通信部を備えるので、判断結果を外部装置に伝達することができる。
（８）制御部は、通信部の発信間隔を調整するので、電力の無駄使いを防止することができる。
（９）記憶部は、制御部の判断結果とともに、判断時の時刻情報や抵抗値を記憶するので、より詳細な情報を得ることができる。
【０００８】
（１０）制御部は、抵抗値が有効範囲の範囲内にあるか否かを判断することにより、取り付け対象物がこの取外認識装置から取り外されたか否かを判断するので、より正確な判断を行うことができる。
（１１）制御部は、判断内容に基づいて、外部装置に視覚的な動作、聴覚的な動作、感覚的な動作のうち少なくとも１つの動作を行わせるので、外部装置では簡単に不正の事実を確認することができる。
【発明を実施するための最良の形態】
【０００９】
以下、図面等を参照して、本発明の実施形態について、さらに詳しく説明する。
（第１実施形態）
図１は、本発明による取外認識装置の第１実施形態を示す図であり、図２は、取外認識装置１０を示すブロック図である。
図１に示すように、本実施形態の取外認識装置１０は、パチンコ台の基盤２０に設置されたＲＯＭなどの電子部品（取り付け対象物）３０に取り付けるタイプのものであり、電子部品３０の不正な取り外しなどを認識する装置である。
また、取外認識装置１０は、図２に示すように、抵抗値センサ１１と、ＣＰＵ（制御部）１２と、メモリ部（記憶部）１３と、通信部１４と、ＩＯ制御部１５と、電源部１６などとを備える。
【００１０】
抵抗値センサ１１は、電子部品３０の接触端子に取り付けられ、端子間の抵抗を測定するセンサであり、導通用の２つの接触端子１１ａを備える。
ＣＰＵ１２は、この取外認識装置１０を統括制御する制御部であって、抵抗値センサ１１から出力された電子部品３０の接触端子間の抵抗値によって、電子部品３０がこの取外認識装置１０から取り外されたか否か（電子部品３０が基盤２０から取り外されたか否か）を判断する部分である。
メモリ部１３は、ＣＰＵ１２が判断した判断結果を記憶する部分である。判断結果は、所定時間に１回記憶するものとし、電子部品３０が取り外されていなければ正常と記憶し、電子部品３０が取り外されていれば異常と記憶する。
【００１１】
通信部１４は、非接触通信用のアンテナなどを備え、リーダライタなどの外部装置から判断結果の読み出し要求があった場合には、メモリ部１３に記憶されているＣＰＵ１２の判断結果をリーダライタに発信する。
ＩＯ制御部１５は、パチンコ台の不図示の制御基盤と、取外認識装置１０の不図示の外部出力端子を介して接続されており、ＣＰＵ１２の判断内容に基づいて、パチンコ台の制御基盤に視覚的な動作としてのＬＥＤの点灯動作を行わせる部分である。ＩＯ制御部１５は、ＬＥＤを、異常状態で点灯させ、正常状態で消灯させる。
電源部１６は、取外認識装置１０に電力を供給する部分であり、取外認識装置１０は、この電源部１６から電力供給を受けて動作するアクティブ型の装置である。
【００１２】
次に、取外認識装置１０の動作について説明する。
まず、取外認識装置１０を、その裏面に設けた接着剤層（取り付け手段）１７などによって基盤２０に取り付ける。
ついで、電子部品３０の接触端子に、抵抗値センサ１１の接触端子１１ａをはんだ付けする。なお、同様にして、取外認識装置１０の不図示の外部出力端子も、パチンコ台の不図示の制御基盤に接続する。
ここで、取外認識装置１０が電子部品３０に取り付けられている間は、所定の抵抗値が発生し、電子部品３０が取り外されると抵抗値が無限大になる。ＣＰＵ１２は、この原理を利用して、所定の抵抗値が発生している場合は、電子部品３０が基盤２０から取り外されていないと判断し、抵抗値が無限大になった場合は、電子部品３０が基盤２０から取り外されたと判断する。
【００１３】
また、ＣＰＵ１２は、抵抗値センサ１１から出力された抵抗値が、上限値及び下限値を有する有効範囲の範囲内にあるか否かを判断することにより、電子部品３０が基盤２０から取り外されたか否かを判断するようにするとよい。例えば、抵抗値の有効範囲の上限値を１００Ωとし下限値を９０Ωとする。そして、抵抗値が有効範囲の範囲内にあるか範囲外にあるかによって取り外しの判断を行う。このようにすれば、悪意者が針金などで導通させながら電子部品３０を取り外した場合には、有効範囲の範囲外の抵抗値となり、取り外し認識の精度を高めることができる。なお、抵抗値は電流の流れる量で測定することも可能である。
【００１４】
さらに、ＣＰＵ１２は、通信部１４の発信間隔を調整するとよい。通信部１４は、ＣＰＵ１２が判断した判断結果をリーダライタに発信するが、判断結果を常に発信していると電力が除々に消費されてしまうので、例えば、朝，昼，夜に１回ずつ発信するようにすれば、電力の無駄使いを防止することができる。
【００１５】
さらにまた、メモリ部１３は、ＣＰＵ１２の判断結果とともに、判断時の時刻情報や抵抗値を記憶するとよい。このようにすれば、いつ電子部品３０が取り外されたのか、また、どのような抵抗値で電子部品３０が取り外されたのかなどのより詳細な情報を得ることができる。
【００１６】
そして、作業員は、リーダライタに送信されてくるＣＰＵ１２の判断結果やパチンコ台のＬＥＤの点灯の有無などから、電子部品３０が不正に交換されていないかを確認する。
【００１７】
このように、本実施形態によれば、以下のような効果がある。
（１）抵抗値センサ１１から出力された抵抗値によって、電子部品３０が基盤２０から取り外されたか否かを判断するので、電子部品３０を取り外したり交換したりした場合には、その事実を確実に認識することができる。
（２）接着剤層１７を備えるので、取外認識装置１０を簡単に基盤２０に後付けすることができる。
（３）取外認識装置１０は、自らの電源部１６から電力供給を受けて動作するので、自発的に動作することができる。また、基盤２０などから電力を引きまわす手間を省くことができる。さらに、基盤２０の電源を切った場合であっても、電子部品３０の取り外しを認識することができる。
【００１８】
（４）ＣＰＵ１２の判断結果を記憶するメモリ部１３を備えるので、判断結果を記憶しておき、事後的に確認することができる。
（５）ＣＰＵ１２の判断結果をリーダライタに発信する通信部１４を備えるので、判断結果をリーダライタに伝達することができる。
（６）ＩＯ制御部１５は、ＣＰＵ１２の判断内容に基づいて、ＬＥＤの点灯を行わせるので、パチンコ台では簡単に不正の事実を確認することができる。
【００１９】
（第２実施形態）
図３は、本発明による取外認識装置の第２実施形態を示す図である。
なお、以下の実施形態では、前述した第１実施形態と同様な機能を果たす部分には、同一の符号又は末尾に統一した符号を付して、重複する説明や図面を適宜省略する。
第２実施形態の取外認識装置１０−２は、第１実施形態のものとは異なり、基盤２０の電子部品３０に予め取り付けられているタイプのものである。
このように、第２実施形態によれば、取外認識装置１０−２を基盤２０の電子部品３０に予め取り付けておくことで、取り付けの手間を省くことができる。
また、基盤２０の製造時に取外認識装置１０−２を取り付けることで、効率よくかつ精度よく取外認識装置１０−２を取り付けることができる。
さらに、取外認識装置１０−２を基盤２０の電子部品３０に予め取り付けておくことで、不正防止の施策を講じていることを分かりにくくすることができる。
【００２０】
（第３実施形態）
図４は、本発明による取外認識装置の第３実施形態を示す図である。
第３実施形態の取外認識装置１０−３は、第１実施形態のものと同様に、後付けタイプのものであるが、第１実施形態のように電源部１６がなく、その代わりにリーダライタから電源供給を受けて動作するパッシブ型の装置である。電源供給は、通信部１４で受信する電波を電磁誘導によって電力に変換して行い、その際に、抵抗値の確認も行う。なお、リーダライタと通信していないときに、メモリ部１３に正常・異常の情報を記憶したい場合には、その分の電力が必要になるので、取外認識装置１０−３内に小型の充電部を設ける必要がある。
このように、第３実施形態によれば、リーダライタから電力供給を受けて動作するので、大掛かりな電源部を自ら備える必要がない、という効果がある。
【００２１】
（第４実施形態）
図５は、本発明による取外認識装置の第４実施形態を示す図である。
第４実施形態の取外認識装置１０−４は、第２実施形態のものと同様に基盤２０に予め取り付けられているタイプのものであるが、第２実施形態のような電源部１６がなく、その代わりに基盤２０の電源部から接点を介して電源供給を受ける電力受信部１８を備えたパッシブ型の装置である。
このように、第４実施形態によれば、基盤２０から電力供給を受けて動作するので、第３実施形態と同様に、自ら電源部を備える必要がなく、また、基盤２０が動作中であれば、取外認識装置１０−４は常に動作できる、という効果がある。
【００２２】
（変形形態）
以上説明した実施形態に限定されることなく、種々の変形や変更が可能であって、それらも本発明の範囲内である。
（１）取り付け対象物は、電子部品３０の例で説明したが、電流が流れるものであればこれに限定されるものではない。例えば、携帯電話機の内部部品や、ＩＣチップなどであってもよい。
（２）視覚的な動作は、ＬＥＤを点灯させる動作の例で説明したが、パチンコ台のディスプレイに情報を表示させる動作であってもよい。また、視覚的な動作ではなく、スピーカによって音を発生させる聴覚的な動作や、バイブレーションによって振動を発生させる感覚的な動作であってもよい。
【００２３】
（３）ＣＰＵ１２の判断結果の記憶や発信は、正常・異常の両方の状態で行う例で説明したが、正常の状態だけや、異常の状態だけを取り扱ってもよい。
（４）ＣＰＵ１２とＩＯ制御部１５とは、一体に構成してもよい。
（５）電源部１６は、充電池であってもよい。
なお、上述した実施形態及び変形形態は、適宜組み合わせて用いることもできるが、詳細な説明は省略する。また、本発明は、以上説明した実施形態や変形形態によって限定されることはない。
【図面の簡単な説明】
【００２４】
【図１】本発明による取外認識装置の第１実施形態を示す図である。
【図２】取外認識装置１０を示すブロック図である。
【図３】本発明による取外認識装置の第２実施形態を示す図である。
【図４】本発明による取外認識装置の第３実施形態を示す図である。
【図５】本発明による取外認識装置の第４実施形態を示す図である。
【符号の説明】
【００２５】
１０，１０−２〜１０−４  取外認識装置
１１  抵抗値センサ
１２  ＣＰＵ（制御部）
１３  メモリ部（記憶部）
１４  通信部
１５  ＩＯ制御部
１６  電源部
１７  接着剤層（取り付け手段）
１８  電力受信部
２０  基盤
３０  電子部品（取り付け対象物）
【図１】
2009075931.tif 000003
【図２】
2009075931.tif 000004
【図３】
2009075931.tif 000005
【図４】
2009075931.tif 000006
【図５】
2009075931.tif 000007